(57)【要約】【目的】  必要なときに椅子を引き出して使用でき、使わないときは邪魔にならないように収納できると共に、椅子収納による家具等の収納スペースを減少させることが少なく、椅子使用時の椅子に掛かる荷重を家具等に負担させることもない収納補助椅子を提供する。【構成】  壁面や家具の前面等の垂直面１に座板２を引き出し可能に配設し、軸９にて前脚８ａと後脚８ｂを枢支して脚８を形成し、前脚８ａの上端を座板２の下方にて前後移動自在に連結すると共に後脚８ｂの上端を座板２下方に枢支し、脚８にばね１３にて常時座板２に近接するばね力を付与すると共に、座板２の前方引き出しにて前脚８ａの上端を前方に引っ張り可能として成ることを特徴とする。【選択図】  図３
2006255049.tif 000002
【特許請求の範囲】
【請求項１】
壁面や家具の前面等の垂直面１に座板２を引き出し可能に配設し、この座板２の下面側にこの座板２が引き出された状態で開脚接地し、座板２が垂直面１に収納された状態で上方に折畳み可能な脚８を設けて成ることを特徴とする収納補助椅子。
【請求項２】
壁面や家具の前面等の垂直面１に座板２を引き出し可能に配設し、軸９にて前脚８ａと後脚８ｂを枢支して脚８を形成し、前脚８ａの上端を座板２の下方にて前後移動自在に連結すると共に後脚８ｂの上端を座板２下方に枢支し、脚８にばね１３にて常時座板２に近接するばね力を付与すると共に、座板２の前方引き出しにて前脚８ａの上端を前方に引っ張り可能として成ることを特徴とする収納補助椅子。
【発明の詳細な説明】
【技術分野】
【０００１】
本発明は、マンション、アパート、家屋等の玄関、廊下、キッチン、風呂場、電話設置場所付近等に据え付けるものであり、特に玄関に装着し、靴を履いたり、脱いだりする作業を行い易くするのに好適で、且つ非使用時には下駄箱に収納し、玄関スペースを最大限に利用することができると共に、椅子使用時に下駄箱等の家具そのものへの荷重の負担を低減させる収納補助椅子に関する。
【背景技術】
【０００２】
玄関で靴を履いたり、脱いだりする作業の際に紐付きの靴の場合では、その紐を結んだり、或いは紐を解いたりする作業を行なわなければならない。そして、このような場合に、人は玄関先で座ったり、屈み込むような姿勢をとり、前記作業を行い易くしている。これは風呂場での脱衣に際しても同様である。
【０００３】
また、最近の建物は天井が高くなり、収納も天井近くまで設置される傾向があるが、高所に収納したり取出したりする場合に、別の部屋からリビングの椅子を運んで踏み台としなければならず、不自由している。
【０００４】
これを解消するために、箱状の椅子を下駄箱の下のスペースに押し込んでおいて、使用時に引っ張り出すものがあったが、下駄箱の下のスペースが殺されてしまう欠点があり、椅子を下駄箱に折畳んで収納するものへと移行している。
【０００５】
例えば椅子を引き出し可能にしたものでは、その脚が家具の底部で前後にスライドするため、座板の下方のスペースが実質的にデッドスペースとなっている。
【０００６】
また、座板を跳ね上げることにより折畳むものも多く提案されているが、座板や脚の通過ならびに収納されるスペースがデッドスペースとなり、家具のデッドスペースが大きくなる欠点があった。しかもいずれの場合も、椅子使用時の椅子に掛かる荷重の一部が家具にも加わり、椅子に衝撃が加わると家具そのものの一部に損傷を来たしやすい欠点があった。
【０００７】
【特許文献１】特開平１０−１４０４７５号公報
【特許文献２】特開平１１−２９０１５１号公報
【特許文献３】特開２００１−１７８５９１号公報
【発明の開示】
【発明が解決しようとする課題】
【０００８】
そこで、本発明はこれらの欠点を解消し、操作が簡単でスムーズであり、デッドスペースをできるだけ少なくし、椅子使用時も家具そのものに荷重を掛からないようにしようとするものである。
【課題を解決するための手段】
【０００９】
本発明者は、上記課題を解決すべく、鋭意研究を重ねた結果、本発明を完成したもので、その主たる特徴は、壁面や家具の前面等の垂直面１に座板２を引き出し可能に配設し、この座板２の下面側にこの座板２が引き出された状態で開脚接地し、座板２が垂直面１に収納された状態で上方に折畳み可能な脚８を設けたところにあり、更には、軸９にて前脚８ａと後脚８ｂを枢支して脚８を形成し、前脚８ａの上端を座板２の下方にて前後移動自在に連結すると共に後脚８ｂの上端を座板２下方に枢支し、脚８にばね１３にて常時座板２に近接するばね力を付与すると共に、座板２の前方引き出しにて前脚８ａの上端を前方に引っ張り可能としたところにある。
【発明の効果】
【００１０】
本発明の収納補助椅子は、座板２を使用しないときは図４のように収納家具の扉等の垂直面１内に収納され、使用時は座板２を引き出すと、それまでは座板２下方に折畳まれ収納されていた脚８が開いて降下し、引き出しが完了すると脚８が接地して座板２を椅子として使用できるものであって、家具の引出しを操作するように簡単でスムーズに使うことができる。
【００１１】
座板２の収納時は、座板２の厚み程度の上下幅の厚みの中に座板２及び脚８が収納されるので、座板２収納による家具などへのデッドスペースの発生を抑制し、家具の収納性能を低下させない。また、脚８も座板２の下面側に折畳まれるので、家具の下方の隙間も殺すことなく、便利使いできる。
【００１２】
しかも、座板２を引き出したときは、下端が接地する脚８により座板２の荷重を受け止めるものであって、家具には荷重は掛からないので、家具に負担を掛けることがなく、安全に使用できる利点がある。
【発明を実施するための最良の形態】
【００１３】
以下、本発明の実施形態を図面に基づいて説明する。図１及び２は建物の玄関に設置される壁面収納タイプの下駄箱のような収納家具の例で、この例では床１０より少し浮かせて設置されている。靴を履くときなどは図１のように座板２を引き出してこれを使用し、使用しない時は図２のように収納家具の垂直面１の下部に収納される。勿論、本発明は、床まで収納部を有する家具であっても、適用可能である。また、壁面そのものに施しても良い。
【００１４】
この収納家具の適所、例えば両側の骨組みや両側板４、４に前後方向のガイドレール５、５が対向して配設される。このガイドレール５、５は奥が手前に比して僅かに低く設定しておくと、収納時の収まりが良い。このガイドレール５、５にローラのような移動体６、６を介して移動ブロック７の両側適所が前方に引き出し自在に収納される。
【００１５】
座板２は移動ブロック７の上に載置され、移動ブロック７の下方部両側には脚８、８が装着される。脚８は前脚８ａと後脚８ｂを軸９で枢支したもので、後脚８ｂの上端が移動ブロック７の前端部に軸１０で枢支され、前脚８ａの上端に装着されたローラ１１をレール１２に前後移動自在に装着してある。
【００１６】
脚８は、ばね１３により、常時脚８が上方へ畳まれる方向のばね力が付与される。また後脚８ｂ、８ｂの上端間に掛け渡されたロッド１４にテンションテープ１５の一端を連結し、移動ブロック７の前部の折り返しバー１６で後ろ向きに折り返し、その他端を家具の奥板１７等に固着することにより、移動ブロック７が前方に引き出されると、バー１６がばね１３に抗して前方へ引っ張られて脚８が下方に広がって接地するものである。尚、ばね１３は、図示した形態の他、軸９に渦巻きばねを施したり、前脚８ａの上端と移動ブロック７の奥端との間をばねで引っ張ったり、或いは軸９付近と移動ブロック７の奥端との間をばねで引っ張っても良い。いずれにしても脚８が折畳まれるようにばね力を付与すれば良い。
【００１７】
１８はストッパで、中央部が軸１９で枢支され、ばね２０でその切込みがバー１６をロックするようになっており、レバー２１をばね２０に抗して回動させることにより、そのロックを解除できる。移動ブロック７の前端には家具にマッチした化粧板２２が套設されるもので、取っ手２３が化粧板２２に装着される。
【００１８】
この実施例では、ばね１３を引っ張りばねで形成したが、軸９に捻りばねを施しても構わない。また、テンションテープ１５に代えて、ピニオン・ラック等で、移動ブロック７の引き出し時に脚８が下方に開くようにすることも可能である。
【産業上の利用可能性】
【００１９】
本発明は上述のように、椅子を前方に引き出し自在に収納してあるから、椅子を使用するときはこれを前方に引き出して腰を掛け、例えば靴を履くときの補助椅子や、上部のものを取り出すときの踏み台として使用できるものであり、また、使用しないときは家具等に収納するので普段の邪魔になることはない。
【００２０】
また、収納時は脚８が座部２の下面側にコンパクトに折畳まれるので、家具等に生じるデッドスペースが少なく、容量の少ない家具等であっても収納能力を減少させることが少ないものである。
【００２１】
更に椅子使用時は、脚が接地して椅子に掛かる荷重を受け止めるので、家具等に負担が少なく、椅子に衝撃が加わっても家具を損傷することもなく安全性を向上することが出来る。
【００２２】
また、脚は座板を引き出せば広がって接地し、座板を収納すればそれに伴って自動的に折畳まれるものであって、操作性が良く、子供や年寄りでも簡便に操作して便利に使用できる利点がある。
【図面の簡単な説明】
【００２３】
【図１】本発明の実施例１の椅子収納状態の概略正面図である。
【図２】同上の椅子使用時の要部概略正面図である。
【図３】同上の要部分解斜視図である。
【図４】同上の椅子収納状態の作用説明図である。
【図５】同上の椅子収納状態から引き出す途中の作用説明図である。
【図６】同上の椅子使用状態の作用説明図である。
【符号の説明】
【００２４】
１    垂直面
２    座面
８    脚
８ａ  前脚
８ｂ  後脚
９    軸
１３  ばね
【図４】
2006255049.tif 000003
【図１】
2006255049.tif 000004
【図２】
2006255049.tif 000005
【図３】
2006255049.tif 000006
【図５】
2006255049.tif 000007
【図６】
2006255049.tif 000008